(57)【要約】【課題】複数の被写体に瞬時に焦点位置や焦点距離を合わせることができるカメラシステム及び交換レンズを提供する。【解決手段】フォーカスレンズ群Ｌ１の位置を複数記憶することができるように、記憶セット操作部材６１ａ，６１ｂと位置記憶手段７ａ，７ｂを複数設ける。これと同様に、復帰操作部材９１ａ，９１ｂも複数設ける。また、位置記憶手段７ａ，７ｂに記憶したフォーカスレンズ群Ｌ１の複数の位置に対応して撮影距離を画像表示手段４に表示する。【選択図】図２
2005266658.tif 000002
【特許請求の範囲】
【請求項１】
少なくとも一部の可動レンズが光軸方向に沿って移動可能な撮影光学系と、
前記可動レンズを駆動する駆動部と、
前記可動レンズの位置を検出する可動レンズ位置検出部と、
任意の時点において前記可動レンズ位置検出部により検出された前記可動レンズの位置を複数記憶することができる可動レンズ位置記憶手段と、
前記可動レンズ位置記憶手段に記憶された複数の位置の中から選択された位置に前記駆動部により前記可動レンズを駆動して復帰させる可動レンズ復帰手段と、
を備えるカメラシステム。
【請求項２】
請求項１に記載のカメラシステムにおいて、
前記可動レンズ位置記憶手段に前記可動レンズの位置を記憶した時点において撮影された記憶時画像、及び／又は、前記記憶時画像に相当する画像であって前記可動レンズ位置記憶手段に前記可動レンズの位置を記憶した時点における焦点距離及び撮影距離が等しい状態で撮影された記憶時相当画像を前記可動レンズ位置記憶手段に複数記憶した前記可動レンズの位置と関連付けて記憶する画像記憶部と、
前記画像記憶部に記憶された画像を前記可動レンズ位置記憶手段に複数記憶した前記可動レンズの位置との関連を持たせて表示する記憶情報表示部と、
を備えることを特徴とするカメラシステム。
【請求項３】
カメラボディに対して着脱可能な交換レンズであって、
少なくとも一部の可動レンズが光軸方向に沿って移動可能な撮影光学系と、
前記可動レンズを駆動する駆動部と、
前記可動レンズの位置を検出する可動レンズ位置検出部と、
任意の時点において前記可動レンズ位置検出部により検出された前記可動レンズの位置を複数記憶することができる可動レンズ位置記憶手段と、
前記可動レンズ位置記憶手段に記憶された複数の位置の中から選択された位置に前記駆動部により前記可動レンズを駆動して復帰させる可動レンズ復帰手段と、
を備える交換レンズ。
【請求項４】
請求項３に記載の交換レンズにおいて、
前記可動レンズ位置記憶手段に前記可動レンズの位置を記憶した時点において撮影された記憶時画像、及び／又は、前記記憶時画像に相当する画像であって前記可動レンズ位置記憶手段に前記可動レンズの位置を記憶した時点における焦点距離及び撮影距離が等しい状態で撮影された記憶時相当画像を前記可動レンズ位置記憶手段に複数記憶した前記可動レンズの位置と関連付けて記憶する画像記憶部を備えること、
を特徴とする交換レンズ。
【発明の詳細な説明】
【技術分野】
【０００１】
本発明は、予めセットしたフォーカス位置に、特定の操作によって瞬時に焦点を合わせることができるフォーカスプリセット機能を有したカメラシステム及び交換レンズに関するものである。
【背景技術】
【０００２】
近年、自動焦点調節装置（オートフォーカス）を備えたカメラが普及し、初心者にとって面倒な焦点合わせをしなくても簡単に写真を撮影することができるようになり、撮影者層の拡大に寄与している。
一方、オートフォーカスによる撮影においては、測距にある程度の時間を要するとともに、所望の被写体が撮影位置に存在しなければ、合焦動作を行うことができないため、瞬時に焦点を合わせなければならない被写体に対しては、撮影のチャンスを逸する場合があった。
【０００３】
例えば、野球の撮影においてバッターを狙い撮影しているとき、１塁ランナーが２塁へ盗塁した際は、咄嵯に２塁に向けてカメラを向けて焦点を合わせる必要がある。このような撮影の際は、カメラは三脚に固定して撮影する場合が多く、従って、焦点を合わせたい距離も決まったものとなるので、咄嵯の時に、特定の距離に焦点が移動する機能があればとても重宝する。
その際は、あらかじめ、特定の距離の焦点の位置をセットしておき、必要な時にその位置に復帰させることが考えられる。
【０００４】
そこで、特許文献１に記載のレンズ鏡筒が提案されている。同公報のレンズ鏡筒は、予め自動焦点又は手動による合焦位置を記憶手段に記憶（以下、プリセットと呼ぶ）しておき、所望の被写体が撮影位置に入った瞬間に、記憶されている位置まで鏡筒を駆動して、測距動作を行うことなく合焦位置を再現する（以下、ゴーホームと呼ぶ）ようにしている（フォーカスプリセット機能）。このため、測距を行う必要がなく、所望の被写体に対して迅速な合焦が可能となる。
【０００５】
しかし、特許文献１に記載のレンズ鏡筒では、予め特定の距離の焦点位置をフォーカスプリセットできたのは、１箇所であり、例えば、前述の例で言えば、２塁以外のピッチャーや外野手に焦点を合わせるときには、オートフォーカスに頼らざるを得ず、突然の状況変化への対応に限界があり、咄嗟の撮影に支障をきたしていた。
同じように、バッターのクローズアップ、画面内にピッチャーとバッターを写し込む場合、あるいは球場全景を写し込むというように、構図（ズーム位置）を変化させる場合にも毎回構図（ズーム位置）を決め直しているため、同様に咄嗟の撮影に支障をきたしていた。
【特許文献１】特開平０６−４３３５３号公報
【発明の開示】
【発明が解決しようとする課題】
【０００６】
本発明の課題は、複数の被写体に瞬時に焦点位置や焦点距離を合わせることができるカメラシステム及び交換レンズを提供することである。
【課題を解決するための手段】
【０００７】
本発明は、以下のような解決手段により、前記課題を解決する。なお、理解を容易にするために、本発明の実施例に対応する符号を付して説明するが、これに限定されるものではない。
請求項１の発明は、少なくとも一部の可動レンズ（Ｌ１，Ｌ２）が光軸方向に沿って移動可能な撮影光学系と、前記可動レンズを駆動する駆動部（１，１０）と、前記可動レンズの位置を検出する可動レンズ位置検出部（３，３０，３５）と、任意の時点において前記可動レンズ位置検出部により検出された前記可動レンズの位置を複数記憶することができる可動レンズ位置記憶手段（７，７ａ，７ｂ，６１，６１ａ，６１ｂ，２２）と、前記可動レンズ位置記憶手段に記憶された複数の位置の中から選択された位置に前記駆動部により前記可動レンズを駆動して復帰させる可動レンズ復帰手段（９１，９１ａ，９１ｂ，２２）と、を備えるカメラシステムである。
【０００８】
請求項２の発明は、請求項１に記載のカメラシステムにおいて、前記可動レンズ位置記憶手段（７，７ａ，７ｂ，６１，６１ａ，６１ｂ，２２）に前記可動レンズ（Ｌ１，Ｌ２）の位置を記憶した時点において撮影された記憶時画像、及び／又は、前記記憶時画像に相当する画像であって前記可動レンズ位置記憶手段に前記可動レンズの位置を記憶した時点における焦点距離及び撮影距離が等しい状態で撮影された記憶時相当画像を前記可動レンズ位置記憶手段に複数記憶した前記可動レンズの位置と関連付けて記憶する画像記憶部（５，５ａ，５ｂ）と、前記画像記憶部に記憶された画像を前記可動レンズ位置記憶手段に複数記憶した前記可動レンズの位置との関連を持たせて表示する記憶情報表示部（４）と、を備えることを特徴とするカメラシステムである。
【０００９】
請求項３の発明は、カメラボディ（１００）に対して着脱可能な交換レンズであって、少なくとも一部の可動レンズ（Ｌ１，Ｌ２）が光軸方向に沿って移動可能な撮影光学系と、前記可動レンズを駆動する駆動部（１，１０）と、前記可動レンズの位置を検出する可動レンズ位置検出部（３，３０，３５）と、任意の時点において前記可動レンズ位置検出部により検出された前記可動レンズの位置を複数記憶することができる可動レンズ位置記憶手段（７，７ａ，７ｂ，６１，６１ａ，６１ｂ，２２）と、前記可動レンズ位置記憶手段に記憶された複数の位置の中から選択された位置に前記駆動部により前記可動レンズを駆動して復帰させる可動レンズ復帰手段（９１，９１ａ，９１ｂ，２２）と、を備える交換レンズ（２００〜２９０）である。
【００１０】
請求項４の発明は、請求項３に記載の交換レンズにおいて、前記可動レンズ位置記憶手段（７，７ａ，７ｂ，６１，６１ａ，６１ｂ，２２）に前記可動レンズ（Ｌ１，Ｌ２）の位置を記憶した時点において撮影された記憶時画像、及び／又は、前記記憶時画像に相当する画像であって前記可動レンズ位置記憶手段に前記可動レンズの位置を記憶した時点における焦点距離及び撮影距離が等しい状態で撮影された記憶時相当画像を前記可動レンズ位置記憶手段に複数記憶した前記可動レンズの位置と関連付けて記憶する画像記憶部（５，５ａ，５ｂ）を備えること、を特徴とする交換レンズである。
【発明の効果】
【００１１】
本発明によれば、以下の効果を奏することができる。
（１）任意の時点において可動レンズ位置検出部により検出された可動レンズの位置を複数記憶することができる可動レンズ位置記憶手段と、可動レンズ位置記憶手段に記憶された複数の位置の中から選択された位置に駆動部により可動レンズを駆動して復帰させる可動レンズ復帰手段とを備えるので、例えば、可動レンズが合焦レンズである場合、別のピント位置で撮影をしている最中でも、復帰操作により、複数の所望のピント位置の被写体の撮影を素早く行うことができる。また、可動レンズが変倍レンズである場合、ズーミングによる複数の構図を予め記憶しておけば、別の構図で撮影をしている最中でも、復帰操作により、複数の所望の構図での撮影を素早く行うことができる。
【００１２】
（２）画像記憶部に記憶された画像を可動レンズ位置記憶手段に複数記憶した可動レンズの位置との関連を持たせて表示する記憶情報表示部を備えるので、可動レンズが合焦レンズである場合、間違いなく所望のピント位置の選択をすることができる。また、可動レンズが変倍レンズである場合、間違いなく所望の構図（ズーム位置）の選択をすることができる。
【発明を実施するための最良の形態】
【００１３】
複数の被写体にそれぞれ瞬時に焦点位置や焦点距離を合わせることができるようにするという目的を、可動レンズの位置を複数記憶することにより実現した。
【実施例１】
【００１４】
図１は、実施例１におけるカメラシステムの交換レンズ及びカメラボディの一部の外観を示した図である。
本実施例におけるカメラシステムは、交換レンズ２００により得られる像を電子的に撮影する所謂デジタルスチルカメラのシステムであって、撮影レンズを含まないカメラボディ１００と、カメラボディに対して着脱可能な交換レンズ２００とを有した所謂一眼レフカメラシステムである。
【００１５】
なお、本発明は、本実施例のような一眼レフカメラシステムに限らず、撮影レンズを交換することができない一体型のカメラにも利用することができる。そこで、特許請求の範囲及び本明細書中において、「カメラボディ」というときには、一眼レフカメラシステムにおける撮影レンズを含まないカメラボディという意味とし、単に「カメラ」というときには、一眼レフカメラシステムにおけるカメラボディと撮影レンズを交換することができない一体型のカメラのいずれをも含む広義の意味として使用している。
【００１６】
記憶セット操作部材６１は、フォーカスレンズ群Ｌ１（図２参照）の位置を記憶するときに操作される操作部材である。
記憶セット操作部材６１は、４個の別個の押しボタンスイッチを有しており、これらのボタンのいずれかを押すことによって、そのときのフォーカスレンズ群Ｌ１の位置を位置記憶手段７に記憶（フォーカスプリセット）することができる。また、記憶セット操作部材６１の４個の別個の押しボタンスイッチのそれぞれに対応して後述の位置記憶手段７が設けられており、これら４個の別個の押しボタンスイッチを押し分けることにより、４箇所のフォーカスレンズ群Ｌ１の位置、すなわち４箇所のピント（焦点）位置が記憶可能である。
【００１７】
復帰操作部材９１は、記憶セット操作部材６１を押すことにより後述の位置記憶手段７に記憶された位置にフォーカスレンズ群Ｌ１を復帰（ゴーホーム）させるときに使用する操作部材である。
復帰操作部材９１は、記憶セット操作部材６１と同様に４個の別個の押しボタンスイッチを有しており、これらを押し分けることによって、前述の記憶セット操作部材６１を操作して予め記憶した４箇所のピント位置に選択的にフォーカスレンズ群Ｌ１を復帰させることができる。
【００１８】
以下の説明において、記憶セット操作部材６１及び復帰操作部材９１等により記憶及び復帰させるフォーカスレンズ群Ｌ１等の可動レンズの位置をポジションと呼ぶことにする。例えば、本実施例では、４ポジションの記憶をすることができることになる。
なお、本実施例における記憶セット操作部材６１及び復帰操作部材９１が有する押しボタンは、十字状に配置したが、これに限らず、例えば、直線的に配置してもよい。
【００１９】
図２は、実施例１のカメラシステムの構成を示す図である。
カメラボディ１００は、画像表示手段４，ＡＦモジュール８，カメラＣＰＵ２１を有している。
また、交換レンズ２００は、フォーカスレンズ群Ｌ１，フォーカス駆動機構１，フォーカス位置検出機構３，記憶セット操作部材６１，位置記憶手段７，復帰操作部材９１，レンズＣＰＵ２２等を有している。
【００２０】
画像表示手段４は、カメラボディ１００の背面に設けられており、ＣＰＵ２１からの指示に従い撮影した画像の表示及び各種情報の表示をすることができる記憶情報表示部である。また、本実施例における画像表示手段４は、液晶表示装置を使用している。
ＡＦモジュール８は、交換レンズ２００の撮影光学系から得た被写体像のデフォーカス量を求める位相差式のオートフォーカスモジュールである。
カメラＣＰＵ２１は、主にカメラ側の機能及び動作を制御するカメラ側ＣＰＵである。
【００２１】
フォーカスレンズ群Ｌ１は、撮影光学系の一部を形成し、光軸方向の移動によってピント合わせが可能な可動レンズである。
フォーカス駆動機構１は、フォーカスレンズ群Ｌ１を移動させる駆動部である。
フォーカス位置検出機構３は、フォーカスレンズ群Ｌ１の光軸方向の位置を検出する可動レンズ位置検出部である。
記憶セット操作部材６１は、フォーカスレンズ群Ｌ１のある特定の複数の位置を記憶させるための操作部材である。なお、記憶セット操作部材６１は、図１に示したように、４つの押しボタンを有しているが、図２では、簡単のため記憶セット操作部材６１ａ，６１ｂの２つについてのみ示している。
【００２２】
位置記憶手段７は、フォーカスプリセット時のフォーカス位置検出機構３の出力値を記憶する記憶部である。なお、図２には、位置記憶手段７ａ，７ｂの２つを示しているが、記憶セット操作部材６１と同様に本来は４つ示すべきところを、簡単のため２つのみ示している。また、図２には、記憶セット操作部材６１ａ，６１ｂに対応して位置記憶手段７ａ，７ｂを別々に設けている例を示しているが、これは１つの記憶手段により形成してもよい。
位置記憶手段７は、カメラシステム内に設けられていればよい。本実施例では、位置記憶手段７を交換レンズ２００内に設けているので、位置記憶手段７を不揮発性のメモリとすることにより、撮影中に交換レンズ２００を一旦カメラボディ１００から取り外したり、異なったカメラボディを使用したりした場合であっても、プリセットした情報をそのまま利用することができる。
記憶セット操作部材６１と位置記憶手段７及び後述のレンズＣＰＵ２２により可動レンズ位置記憶手段が形成されている。
【００２３】
復帰操作部材９１は、位置記憶手段７に記憶された複数の記憶位置にフォーカスレンズ群Ｌ１を選択的に復帰させるための操作部材である。なお、復帰操作部材９１は、図１に示したように、４つの押しボタンを有しているが、図２では、簡単のため復帰操作部材９１ａ，９１ｂの２つについてのみ示している。
復帰操作部材９１と後述のレンズＣＰＵ２２により可動レンズ復帰手段が形成されている。
【００２４】
レンズＣＰＵ２２は、交換レンズ２００内の動作の制御を主に行う制御部である。レンズＣＰＵ２２は、記憶セット操作部材６１が押されると位置記憶手段７にフォーカスレンズ群Ｌ１の位置を記憶させる。
また、レンズＣＰＵ２２は、復帰操作部材９１が押されると、そのときのフォーカスレンズ群Ｌ１の位置と位置記憶手段７に記憶されているフォーカスレンズ群Ｌ１の位置とを比較し、必要な駆動量を演算してフォーカス駆動機構にフォーカスレンズ群Ｌ１を駆動する指示を与える。
また、レンズＣＰＵ２２は、カメラＣＰＵ２１と通信を行うことができ、位置記憶手段７に記憶されたフォーカスレンズ群Ｌ１の位置に関連する記憶情報をカメラＣＰＵ２１へ伝えることができる（記憶情報伝達部として働く）。
【００２５】
次に、動作について説明する。
ここでは、野球の撮影で、２箇所ピント位置を記憶する場合を想定する。
撮影者は、１塁、又は、３塁横の撮影席において三脚にカメラ１００と交換レンズ２００を乗せて待機している。試合が始まる前に、撮影者は、２塁ベース、ピッチャーマウンドに対応したピントの位置を記憶させておく。そのために、撮影者は、オートフォーカス若しくはマニュアルフォーカスによって、２塁ベース、ピッチャーマウンドにそれぞれピントを合わせる。
ピントを合わせたら、撮影者は、それぞれのピント位置において記憶セット操作部材６１ａ，６１ｂを押す。
【００２６】
記憶セット操作部材６１ａ，６１ｂを押したときに、そのときのフォーカスレンズ群Ｌ１の位置をフォーカス位置検出手段３の検出値によって知り、それぞれの検出値を位置記憶手段７ａ，７ｂに記憶（フォーカスプリセット）する。
ここでは、一例として２塁ベースにピントを合わせて記憶セット操作部材６１ａを押し、ピッチャーマウンドにピントを合わせて記憶セット操作部材６１ｂを押したとする。
【００２７】
その後、撮影をしていて、咄嵯に２塁での被写体を取り入れた撮影が必要になった場合、撮影者は、復帰操作部材９１ａを押す。また、ピッチャーにピントを合わせた撮影が必要な場合には、復帰操作部材９１ｂを押す。それにより、位置記憶手段７ａ又は７ｂから、記憶した２塁のフォーカス位置のデータ又はピッチャーのフォーカス位置のデータを引き出し、フォーカス駆動機構１によりフォーカスレンズ群Ｌ１を予めフォーカスプリセットした位置（２塁上又はピッチャー）に駆動させる（ゴーホーム）。このゴーホーム時の駆動は、記憶したフォーカスレンズ群Ｌ１の位置に移動するだけであり、ＡＦモジュール８による合焦動作を必要としないので、非常に高速に、かつ、確実に記憶した位置にピントを合わせることができる。
【００２８】
図３は、実施例１において、フォーカスプリセットをしている状態における画像表示手段４の表示例を示す図である。
本実施例では、位置記憶手段７に記憶されているフォーカスレンズ群Ｌ１の位置に関する情報を画像表示手段４に表示することができる。図３に示した例では、ポジション１〜３にフォーカスレンズ群Ｌ１の位置が記憶されており、撮影距離（＝カメラの焦点面から被写体までの距離）がそれぞれについて表示され、まだ記憶されていないポジション４については未登録である旨の表示がされている。
【００２９】
本実施例のカメラシステムでは、４ポジションの記憶を行うことができるが、本実施例では、図３のように各ポジションの撮影距離等を表示するので、どのポジションにどのピント位置を記憶させているのかが明確になり、撮影時に混乱することなく、確実な操作を行うことができる。
また、表示は、カメラボディ１００が有する画像表示手段４を利用するので、高価な表示装置を新たに設ける必要がなく、安価に製造することができる。
【００３０】
本実施例によれば、フォーカスレンズ群Ｌ１の位置を複数プリセットすることができ、その中から任意に選択した位置にゴーホームさせることができるので、より多くの撮影条件において咄嗟の場合にも的確に対応して撮影することができる。
また、各ポジションの撮影距離等を表示するので、プリセットした位置に関する情報を簡単かつ詳細に知ることができ、撮影時の使い勝手を向上させることができる。
【実施例２】
【００３１】
図４は、実施例２のカメラシステムの構成を示す図である。
実施例２の交換レンズ２２０は、実施例１の交換レンズ２００に対して画像記憶手段５ａ，５ｂを追加した形態であるので、実施例１と同様の機能を果たす部分には、同一の符号を付して、重複する説明を適宜省略する。
【００３２】
画像記憶手段５は、フォーカスプリセット時に同時に撮影した画像を記憶したポジションに関連付けて記憶する画像記憶部である。なお、図４では、位置記憶手段７ａ，７ｂに対応して画像記憶手段５ａ，５ｂの２つを示しているが、実施例１の位置記憶手段７と同様に本来は４つ示すべきところを、簡単のため２つのみ示している。また、図４には、画像記憶手段５ａ，５ｂを別々に設けている例を示しているが、これは１つの記憶手段により形成してもよいし、位置記憶手段７とともに１つの記憶手段により形成してもよい。さらに、画像記憶手段５に記憶する画像は、フォーカスプリセット時に同時に撮影した画像（記憶時画像）に限らず、フォーカスプリセットした位置にフォーカスレンズ群Ｌ１の位置がある状態で撮影した画像であれば、フォーカスプリセット後の別の時間に撮影した画像（記憶時相当画像）を記憶してもよい。
【００３３】
画像記憶手段５ａ，５ｂは、カメラシステム内ならば、どこに設けてもよい。
本実施例では、画像記憶手段５を、交換レンズ２２０内に設けているので、画像記憶手段５を不揮発性のメモリとすることにより、撮影中に交換レンズ２２０を一旦カメラボディ１００から取り外したり、異なったカメラボディを使用したりした場合であっても、プリセット時に記憶した画像をそのまま利用することができる。
【００３４】
図５は、実施例２において、フォーカスプリセットをしている状態における画像表示手段４の表示例を示す図である。
本実施例では、位置記憶手段７に記憶されているフォーカスレンズ群Ｌ１の位置に関する情報と、これに関連付けて画像記憶手段５に記憶されている画像とを合わせて画像表示手段４に表示することができる。図５に示した例では、ポジション１〜３にフォーカスレンズ群Ｌ１の位置が記憶されており、撮影距離及び画像がそれぞれについて表示され、まだ記憶されていないポジション４については未登録である旨の表示がされている。
【００３５】
本実施例のカメラシステムでは、４ポジションの記憶を行うことができるが、本実施例では、図５のように各ポジションの撮影距離に加えて画像を表示するので、どのポジションにどのピント位置を記憶させているのかがより直感的に判り、より確実な操作を行うことができる。
本実施例によれば、各ポジションの撮影距離に加えて画像を表示するので、プリセットした位置毎にどのような撮影を行うことができるかが簡単に判り、撮影時の使い勝手をいっそう向上させることができる。
【実施例３】
【００３６】
図６は、実施例３のカメラシステムの構成を示す図である。
実施例３は、変倍レンズ群Ｌ２について、その位置（ズーム位置）の記憶（ズームプリセット）及び記憶位置への復帰（ゴーホーム）を行うことができる。
実施例３の交換レンズ２３０は、実施例１のフォーカスプリセット及びゴーホームと同様な構成を変倍レンズ群Ｌ２について行う例であるので、実施例１と同様の機能を果たす部分には、同一の符号を付して、重複する説明を適宜省略する。
変倍レンズ群Ｌ２は、光軸方向の移動によって焦点距離を変化させる可動レンズである。
【００３７】
ズーム駆動機構１０は、不図示のモータの駆動力により変倍レンズ群Ｌ２を移動させる駆動部である。
ズーム位置検出機構３０は、変倍レンズ群Ｌ２の光軸方向の位置を検出する可動レンズ位置検出部である。
記憶セット操作部材６１，位置記憶手段７，復帰操作部材９１，レンズＣＰＵ２２は、実施例１におけるフォーカスレンズ群Ｌ１の位置に関する動作に代わって変倍レンズ群Ｌ２の位置に関する動作をするという他は、実施例１と同様である。
【００３８】
記憶セット操作部材６１が押されると、そのときの変倍レンズ群Ｌ２の位置を位置記憶手段７に記憶する。撮影者は、必要なときに復帰操作部材９１を押すことにより、変倍レンズ群Ｌ２を記憶した位置に復帰させることができる。また、この変倍レンズ群Ｌ２の位置は、実施例１の場合と同様に４つまで記憶させることができ、その中から選択したポジションに復帰することができる。
この構成により、予め設定した構図、例えば、バッターのクローズアップ、画面内にピッチャーとバッターを納めた構図等、必要な構図を複数記憶することができ、咄嗟の場合の構図の変更が可能である。
なお、本実施例では、復帰操作部材９１を操作することにより、変倍レンズ群Ｌ２を記憶した位置に復帰するようにしたが、復帰操作によってフォーカスレンズ群Ｌ１を駆動して記憶時の合焦状態とすることもできる。この場合、構図変更と共に合焦状態も調整されるので、より一層素早い撮影が可能となる。
【００３９】
図７は、実施例３において、ズームプリセットをしている状態における画像表示手段４の表示例を示す図である。
本実施例では、位置記憶手段７に記憶されている変倍レンズ群Ｌ２の位置に関する情報を画像表示手段４に表示することができる。図７に示した例では、ポジション１〜３に変倍レンズ群Ｌ２の位置が記憶されており、焦点距離がそれぞれについて表示され、まだ記憶されていないポジション４については未登録である旨の表示がされている。
本実施例のカメラシステムでは、４ポジションの記憶を行うことができるが、本実施例では、図７のように各ポジションの焦点距離等を表示するので、どのポジションにどのズーム位置を記憶させているのかが明確になり、撮影時に混乱することなく、確実な操作を行うことができる。
【００４０】
本実施例によれば、変倍レンズ群Ｌ２の位置について複数記憶及び復帰することができ、その焦点距離をポジション毎に画像表示手段４に表示するので、複数の構図を頻繁に切り替えて撮影するような場合の使い勝手をよくすることができる。
【実施例４】
【００４１】
実施例４の交換レンズ２４０は、実施例３の交換レンズ２３０に対して画像記憶手段５ａ，５ｂを追加した形態であり、実施例１と実施例２との関係と同様な例であるので、実施例１〜３と同様の機能を果たす部分には、同一の符号を付して、重複する説明を適宜省略する。
図８は、実施例４のカメラシステムの構成を示す図である。
画像記憶手段５は、ズームプリセット時に同時に撮影した画像を記憶したポジションに関連付けて記憶する記憶部である。
【００４２】
図９は、実施例４において、ズームプリセットをしている状態における画像表示手段４の表示例を示す図である。
本実施例では、位置記憶手段７に記憶されている変倍レンズ群Ｌ２の位置に関する情報と、これに関連付けて画像記憶手段５に記憶されている画像とを合わせて画像表示手段４に表示することができる。図９に示した例では、ポジション１〜３に変倍レンズ群Ｌ２の位置が記憶されており、焦点距離及び画像がそれぞれについて表示され、まだ記憶されていないポジション４については未登録である旨の表示がされている。
【００４３】
本実施例のカメラシステムでは、４ポジションの記憶を行うことができるが、本実施例では、図９のように各ポジションの焦点距離に加えて画像を表示するので、どのポジションにどのズーム位置を記憶させているのかがより直感的に判り、より確実な操作を行うことができる。
本実施例によれば、各ポジションの焦点距離に加えて画像を表示するので、プリセットした位置毎にどのような撮影を行うことができるかが簡単に判り、撮影時の使い勝手をいっそう向上させることができる。
【実施例５】
【００４４】
図１０は、実施例５のカメラシステムの構成を示す図である。
実施例５の交換レンズ２５０は、実施例１の交換レンズ２００に対してズーム位置検出機構３５を追加した形態であるので、実施例１と同様の機能を果たす部分には、同一の符号を付して、重複する説明を適宜省略する。
ズーム位置検出機構３５は、変倍レンズ群Ｌ２の光軸方向の位置を検出する可動レンズ位置検出部である。
【００４５】
なお、ズーム位置検出機構３５は、実施例３におけるズーム位置検出機構３０とその機能は同様であるが、本実施例の交換レンズ２５０は、ズーム駆動機構によって変倍レンズ群Ｌ２をモータ駆動するのではなく、手動により変倍レンズ群Ｌ２の駆動を行うようになっている。
ズーム位置検出機構３５により検出された変倍レンズ群Ｌ２の位置は、レンズＣＰＵ２２へ送られ、フォーカスプリセット時には、フォーカスレンズ群Ｌ１の位置ともにそのときの変倍レンズ群Ｌ２の位置についても位置記憶手段７に記憶される。
【００４６】
次に、動作について説明する。
ここでは、野球の撮影を想定する。
撮影者は、１塁、若しくは３塁横の撮影席において三脚にカメラ１００と交換レンズ２５０を乗せて待機している。試合が始まる前に、撮影者は、２塁にピントを合わせ、フォーカスプリセットをしておく。具体的には、撮影者は、オートフォーカス若しくはマニュアルフォーカスにて２塁にピントを合わせる。ピントを合わせたら、撮影者は、記憶セット操作部材６１を押す。
【００４７】
記憶セット操作部材６１を押した時に、そのときのフォーカスレンズ群Ｌ１の位置をフォーカス位置検出機構３の検出値によって知り、その検出値を位置記憶手段７に記憶する。これと同時に、そのときのズームレンズ群Ｌ２の位置をズーム位置検出機構３５の検出値によって知り、その検出値を位置記憶手段７に記憶する。
【００４８】
その後、撮影者は、撮影の途中で咄嵯に２塁での被写体を取り入れた撮影が必要になった場合、復帰操作部材９１を押す。復帰操作部材９１を押すことにより、レンズＣＰＵ２２は、位置記憶手段７から、記憶した２塁のフォーカス位置のデータを引き出し、フォーカス駆動機構１によりフォーカスレンズ群Ｌ１を予め設定した位置（２塁上）に駆動させようとする。このとき、例えば、記憶セット操作部材６１を押して記憶したときのズーム位置がワイド（広角）側であり、復帰操作部材９１を押して撮影しようとしているズーム位置が、記憶セット操作部材６１を押して記憶したときのズーム位置よりもテレ（望遠）側であれば、ピントが甘い写真になってしまうことが十分考えられる。
【００４９】
この問題を解決するためには、例えば、フォーカスプリセットは、任意のズーム位置で可能であっても、ゴーホーム時のズーム位置がフォーカスプリセット時のズーム位置よりテレ側にある場合は、ゴーホーム動作を行わないようにするとよい。
以上のようにすることによって、撮影者は、ズームレンズにおいても、咄嵯での２塁の撮影に対応することができる。
【００５０】
図１１は、実施例５において、フォーカスプリセットをしている状態における画像表示手段４の表示例を示す図である。
この図１１には、４箇所のフォーカスプリセット位置（ポジション１〜４）を表示している。各々、位置記憶手段７に格納された撮影距離及び焦点距離を表示している。なお、ポジション４は、未登録状態の例である。
撮影者は、この画像表示手段４に表示される情報を見ることによって現在の設定状態を把握でき、意図する撮影を確実に行うことができる。
【００５１】
特に、撮影距離に加えて焦点距離を表示しているので、フォーカスプリセット時のズーム位置よりテレ側にある場合にゴーホームさせようとしてしまうことを未然に防止することができる。また、現時点におけるズーム位置においてゴーホームしてもピントがずれた写真となるおそれの無いポジションと、ゴーホームするとピントがずれた写真となる可能性の高いポジションとを区別して表示（表示色を変えたり、反転表示する等）するようにしてもよい。
【００５２】
本実施例によれば、フォーカスプリセットしたポジション毎に撮影距離に加えて焦点距離を表示するので、現在の設定状態を正確に把握でき、意図する撮影を確実に行うことができる。
また、表示されたフォーカスプリセット時の焦点距離を参照し、ゴーホームを行うときの焦点距離をフォーカスプリセット時の焦点距離よりも望遠側とならないようにすることにより、ピントがずれた写真となることを防止することができる。
【実施例６】
【００５３】
実施例６〜実施例９は、記憶セット操作部材の具体的な形状のみを変更した例である。したがって、以下の実施例６〜実施例９の説明は、記憶セット操作部材についてのみ説明する。なお、この実施例６〜実施例９に示す例は、ピント位置の記憶として説明しているが、ズーム位置を記憶する実施例３，４を含めて、上述の実施例１〜５のいずれに適用してもよい。
【００５４】
図１２は、実施例６におけるカメラシステムの交換レンズ及びカメラボディの一部の外観を示した図である。
複数の位置を記憶させるための記憶セット操作部材６２は、４方向に押し込み可能な十字キー方式の押しボタンスイッチが設けられ、４箇所のピント位置が記憶可能である。また、複数の記憶位置にフォーカスレンズ群Ｌ１を選択的に復帰させるための復帰操作部材９２は、同じように４方向に押し込み可能な十字キー方式の押しボタンスイッチが設けられ、前述の予め記憶した４箇所のピント位置に復帰が可能である。
【実施例７】
【００５５】
図１３は、実施例７におけるカメラシステムの交換レンズ及びカメラボディの一部の外観を示した図である。
ダイアル８３により、予め記憶させるポジションを設定し、記憶セット操作部材６３の押しボタンを押すことにより、複数のピント位置が記憶可能である。
また、フォーカスレンズ群Ｌ１を復帰させるためには、同じようにダイアル８３により、予め記憶されたポジションを設定し復帰操作部材９３の押しボタンを押すことにより、前述の予め記憶した複数のピント位置に選択的に復帰が可能である。
【００５６】
例えば、ダイアル８３によりポジション１を選択して、あるピント位置を記憶し、次に、ダイアル８３によりポジション２を選択して別のピント位置を記憶可能である。
復帰する場合には、ダイアル８３をポジション１にセットすれば、ポジション１に記憶されたピント位置に復帰し、ポジション２にセットすればポジション２に記憶されたピント位置に復帰する。ポジションの選択はダイアルに限られず、スライドスイッチ、押しボタン等の採用も可能である。
【実施例８】
【００５７】
図１４は、実施例８におけるカメラシステムの交換レンズ及びカメラボディの一部の外観を示した図である。
複数の位置を記憶させるための記憶セット操作部材６４は、押しボタンスイッチを使用し、所定時間内に押しボタンを押した回数でポジションを識別し、複数のピント位置が記憶可能である。例えば、押しボタンスイッチを所定時間内に２回押せば、ポジション２に、所定時間内に３回押せばポジション３にピント位置が記憶される。
【００５８】
複数の記憶位置にフォーカスレンズ群Ｌ１を選択的に復帰させるための復帰操作部材９４は、同じように押しボタンスイッチを使用し、所定時間内に押しボタンを押した回数でポジションを識別し、それぞれ複数記憶されたピント位置に復帰が可能である。例えば、押しボタンスイッチを所定時間内に２回押せば、ポジション２に、所定時間内に３回押せばポジション３に記憶されたピント位置に復帰する。
【実施例９】
【００５９】
図１５は、実施例９におけるカメラシステムの交換レンズ及びカメラボディの一部の外観を示した図である。
複数の位置を記憶させるための記憶セット操作部材６５は、押しボタンスイッチを使用し、所定時間内に押しボタンを押した回数でポジションを識別し、複数のピント位置が記憶可能である。例えば、所定時間内に押しボタンスイッチを１回押せば、ポジション１に、所定時間内に２回押せばポジション２にピント位置が記憶される。この実施例９では、記憶可能なピント位置は２箇所である。
【００６０】
複数の記憶位置にフォーカスレンズ群Ｌ１を選択的に復帰させるための復帰操作部材９５は、光軸まわりの回転リングであり、所定の回転角だけ左右に回転可能であり、手を離すとばねにより中立位置に復帰する。この復帰操作部材９５を右方向（カメラ背面側から見て右回転する方向）に回転させれば、ポジション１に記憶されたピント位置に復帰し、左方向（カメラ背面側から見て左回転する方向）に回転させれば、ポジション２に記憶されたピント位置に復帰する。
なお、この実施例９において、記憶セット操作部材６５は、実施例８で説明した方式と同じもので説明したが、上述の他の実施例に示した記憶セット操作部材を採用してもよい。
【００６１】
（変形例）
以上説明した実施例に限定されることなく、種々の変形や変更が可能であって、それらも本発明の均等の範囲内である。
（１）各実施例において、撮影距離、焦点距離、画像を記憶及び表示する例を示したが、これらの実施例における表示の組み合わせは一例であって、自由に組み合わせを変えてもよい。例えば、画像のみを表示するようにしてもよいし、撮影距離、焦点距離、画像を全て表示してもよい。
【００６２】
（２）各実施例において、記憶した可動レンズの位置に関する情報を、カメラ背面の液晶表示装置からなる画像表示手段に表示する例を示したが、これに限らず、例えば、画像を含まない撮影距離や焦点距離等の情報のみであれば、メインパネル、ファインダ内等のカメラの他の表示部を利用してもよい。
【００６３】
（３）実施例９を除く各実施例において、記憶セット操作部材と復帰操作部材は同じ方式のものを使用する例を示したが、これに限らず、例えば、これらを適宜組み合わせてもよいし、各実施例に示した以外の形態であってもよい。
【００６４】
（４）各実施例において、記憶セット操作部材と復帰操作部材のいずれもレンズ鏡筒に設けた例を示したが、これに限らず、カメラシステム内に設けられていればよい。例えば、記憶セット操作部材と復帰操作部材のどちらか一方、あるいは両方がカメラボディに設けられていてもよい。
【００６５】
（５）各実施例において、復帰操作部材が有する複数のスイッチを選択的に使用することにより、複数記憶された記憶位置の中から選択した位置にフォーカスレンズ群Ｌ１，変倍レンズ群Ｌ２を復帰させる例を示したが、これに限らず、例えば、画像表示手段４に表示された複数のポジションの中から、復帰操作部材を操作したときにフォーカスレンズ群Ｌ１，変倍レンズ群Ｌ２を復帰させるポジションを選択的に予め指定するようにしてもよい。また、記憶セット操作部材を操作したときに記憶されるポジションについても、同様に予め指定してもよい。このようにすることにより、復帰操作部材の構造を簡単にすることができる。
【００６６】
（６）各実施例において、画像表示手段４は、撮影距離、焦点距離、画像等の記憶した情報を表示する例を示したが、記憶した情報を表示するだけに限らず、例えば、ゴーホームを行ったときに選択されたポジションを他のポジションと区別して表示（表示色を変えたり、反転表示する等）してもよいし、表示されたポジションからキー操作、又は、タッチパネル等により直接選択してゴーホームさせるようにしてもよい。
【図面の簡単な説明】
【００６７】
【図１】実施例１におけるカメラシステムの交換レンズ及びカメラボディの一部の外観を示した図である。
【図２】実施例１のカメラシステムの構成を示す図である。
【図３】実施例１において、フォーカスプリセットをしている状態における画像表示手段４の表示例を示す図である。
【図４】実施例２のカメラシステムの構成を示す図である。
【図５】実施例２において、フォーカスプリセットをしている状態における画像表示手段４の表示例を示す図である。
【図６】実施例３のカメラシステムの構成を示す図である。
【図７】実施例３において、ズームプリセットをしている状態における画像表示手段４の表示例を示す図である。
【図８】実施例４のカメラシステムの構成を示す図である。
【図９】実施例４において、ズームプリセットをしている状態における画像表示手段４の表示例を示す図である。
【図１０】実施例５のカメラシステムの構成を示す図である。
【図１１】実施例５において、フォーカスプリセットをしている状態における画像表示手段４の表示例を示す図である。
【図１２】実施例６におけるカメラシステムの交換レンズ及びカメラボディの一部の外観を示した図である。
【図１３】実施例７におけるカメラシステムの交換レンズ及びカメラボディの一部の外観を示した図である。
【図１４】実施例８におけるカメラシステムの交換レンズ及びカメラボディの一部の外観を示した図である。
【図１５】実施例９におけるカメラシステムの交換レンズ及びカメラボディの一部の外観を示した図である。
【符号の説明】
【００６８】
Ｌ１  フォーカスレンズ群
Ｌ２  変倍レンズ群
１  フォーカス駆動機構
３  フォーカス位置検出機構
４  画像表示手段
５，５ａ，５ｂ  画像記憶手段
７，７ａ，７ｂ  位置記憶手段
８  ＡＦモジュール
１０  ズーム駆動機構
２１  カメラＣＰＵ
２２  レンズＣＰＵ
３０，３５  ズーム位置検出機構
６１，６１ａ，６１ｂ  記憶セット操作部材
９１，９１ａ，９１ｂ  復帰操作部材
１００  カメラボディ
２００，２２０，２３０，２４０，２５０，２６０，２７０，２８０，２９０  交換レンズ
【図１】
2005266658.tif 000003
【図２】
2005266658.tif 000004
【図３】
2005266658.tif 000005
【図４】
2005266658.tif 000006
【図５】
2005266658.tif 000007
【図６】
2005266658.tif 000008
【図７】
2005266658.tif 000009
【図８】
2005266658.tif 000010
【図９】
2005266658.tif 000011
【図１０】
2005266658.tif 000012
【図１１】
2005266658.tif 000013
【図１２】
2005266658.tif 000014
【図１３】
2005266658.tif 000015
【図１４】
2005266658.tif 000016
【図１５】
2005266658.tif 000017